(57)【要約】【課題】十分な量の接着剤を滴下して良好な接着を得ること。【解決手段】本発明のレンズ接着構造は、一端部が開放され他端部に内方フランジが形成された嵌合筒部を有するレンズ枠と、このレンズ枠の嵌合筒部に嵌められ、内方フランジに当接させた状態で接着剤により固定されるレンズとを有するレンズ接着構造において、上記レンズ枠に、上記開放部側から嵌合筒部の内円筒壁面に達する第１の接着剤貯留切欠と、上記内方フランジの外周側から嵌合筒部の内円筒壁面に達する第２の接着剤貯留切欠とを形成し、この第１および第２の接着剤貯留切欠に滴下した接着剤によりレンズ枠にレンズを固定したことを特徴としている。【選択図】図１
2010256611.tif 000002
【特許請求の範囲】
【請求項１】
一端部が開放され他端部に内方フランジが形成された嵌合筒部を有するレンズ枠と、このレンズ枠の嵌合筒部に嵌められ、内方フランジに当接させた状態で接着剤により固定されるレンズとを有するレンズ接着構造において、
上記レンズ枠に、上記開放部側から嵌合筒部の内円筒壁面に達する第１の接着剤貯留切欠と、上記内方フランジの外周側から嵌合筒部の内円筒壁面に達する第２の接着剤貯留切欠とを形成し、
この第１および第２の接着剤貯留切欠に滴下した接着剤によりレンズ枠にレンズを固定したことを特徴とするレンズ接着構造。
【請求項２】
請求項１記載のレンズ接着構造において、
第１および第２の接着剤貯留切欠は、レンズ枠の周方向に間隔をおいて複数形成されているレンズ接着構造。
【請求項３】
請求項２記載のレンズ接着構造において、
第１および第２の接着剤貯留切欠は、レンズ枠の周方向に互いに位置を異ならせて形成されているレンズ接着構造。
【請求項４】
一端部が開放され他端部に内方フランジが形成された、レンズが嵌められる嵌合筒部；
上記開放部側から嵌合筒部の内円筒壁面に達する第１の接着剤貯留切欠；及び
上記内方フランジの外周側から嵌合筒部の内円筒壁面に達する第２の接着剤貯留切欠；を有することを特徴とするレンズ枠。
【請求項５】
請求項４記載のレンズ枠において、
第１および第２の接着剤貯留切欠は、レンズ枠の周方向に間隔をおいて複数形成されているレンズ枠。
【請求項６】
請求項５記載のレンズ枠において、
第１および第２の接着剤貯留切欠は、レンズ枠の周方向に互いに位置を異ならせて形成されているレンズ枠。
【請求項７】
請求項４ないし６のいずれか１項記載のレンズ枠にレンズを接着するレンズ接着方法において、
レンズを、レンズ枠の嵌合筒部に嵌めて内方フランジに当接させるステップ；
この当接状態で、第１の接着剤貯留切欠に接着剤を滴下するステップ；及び
第２の接着剤貯留切欠に接着剤を滴下するステップ；を有することを特徴とするレンズ接着方法。
【発明の詳細な説明】
【技術分野】
【０００１】
本発明は、レンズ接着構造、レンズ枠およびレンズ接着方法に関する。
【背景技術】
【０００２】
例えば、デジタルカメラの撮影光学系に含まれるレンズをレンズ枠に接着固定するには、レンズ枠に、一端部が開放され他端部に内方フランジが形成された嵌合筒部を設け、レンズをこの嵌合筒部に嵌めて内方フランジに当接させ（開放部側から内方フランジ側に向けてレンズを落とし込み）、開放部側から嵌合筒部の内円筒壁面に達する接着剤貯留切欠（接着剤だまり）に接着剤を滴下して、レンズ枠にレンズを固定していた。
【先行技術文献】
【特許文献】
【０００３】
【特許文献１】特開平５−１１３５４２号公報
【発明の概要】
【発明が解決しようとする課題】
【０００４】
しかしながら、上記構造のレンズ枠にあっては、接着剤貯留切欠に十分な量の接着剤を滴下できず、良好な接着が得られない場合がある。特に、凸レンズの場合、レンズの外周円筒面の厚さ（外径のコバ厚）が薄くなりがちであり、接着剤を滴下できる量に限りがある。また、１つのレンズ枠に複数枚のレンズ（レンズ群）を接着する場合、隣接する一方のレンズに対応する接着剤貯留切欠と他方のレンズに対応する内方フランジが近くなるが、この内方フランジへの接着剤のはみ出しは許されないので、接着剤貯留切欠に少量の接着剤しか滴下できず、良好な接着が得られにくい。一方、接着剤貯留切欠を周方向に長く取れば、接着剤の量を稼ぐことはできるが、接着剤貯留切欠によって、光軸に直交する方向におけるレンズの位置の精度が落ちてしまうので好ましくない。
【０００５】
本発明は、かかる点に鑑みてなされたものであり、十分な量の接着剤を滴下して良好な接着を得ることができるレンズ接着構造、レンズ枠およびレンズ接着方法を得ることを目的とする。
【課題を解決するための手段】
【０００６】
本発明は、レンズ枠に、開放部側から嵌合筒部の内円筒壁面に達する接着剤貯留切欠（第１の接着剤貯留切欠、開放部側切欠）と、内方フランジの側から嵌合筒部の内円筒壁面に達する接着剤貯留切欠（第２の接着剤貯留切欠、内方フランジ側切欠）とを形成すれば、これら双方の接着剤貯留切欠に十分な量の接着剤を滴下して良好な接着が得られるという着眼に基づいてなされたものである。
【０００７】
本発明のレンズ接着構造は、一端部が開放され他端部に内方フランジが形成された嵌合筒部を有するレンズ枠と、このレンズ枠の嵌合筒部に嵌められ、内方フランジに当接させた状態で接着剤により固定されるレンズとを有するレンズ接着構造において、上記レンズ枠に、上記開放部側から嵌合筒部の内円筒壁面に達する第１の接着剤貯留切欠と、上記内方フランジの外周側から嵌合筒部の内円筒壁面に達する第２の接着剤貯留切欠とを形成し、この第１および第２の接着剤貯留切欠に滴下した接着剤によりレンズ枠にレンズを固定したことを特徴としている。
【０００８】
本発明のレンズ枠は、一端部が開放され他端部に内方フランジが形成された、レンズが嵌められる嵌合筒部；上記開放部側から嵌合筒部の内円筒壁面に達する第１の接着剤貯留切欠；及び上記内方フランジの外周側から嵌合筒部の内円筒壁面に達する第２の接着剤貯留切欠；を有することを特徴としている。
【０００９】
上記レンズ接着構造及びレンズ枠において、上記第１および第２の接着剤貯留切欠は、レンズ枠の周方向に間隔をおいて複数形成することができる。この場合、第１および第２の接着剤貯留切欠は、レンズ枠の周方向に互いに位置を異ならせて形成するのが好ましい。
【００１０】
本発明のレンズ接着方法は、レンズを、上述のレンズ枠の嵌合筒部に嵌めて内方フランジに当接させるステップ；この当接状態で、第１の接着剤貯留切欠に接着剤を滴下するステップ；及び第２の接着剤貯留切欠に接着剤を滴下するステップ；を有することを特徴としている。
【発明の効果】
【００１１】
本発明のレンズ接着構造、レンズ枠およびレンズ接着方法によれば、十分な量の接着剤を滴下して良好な接着を得ることができる。
【図面の簡単な説明】
【００１２】
【図１】本発明の一実施の形態に係るレンズ枠の前方斜視図である。
【図２】本発明の一実施の形態に係るレンズ枠の後方斜視図である。
【図３】第１の接着剤貯留切欠に接着剤を滴下してレンズ枠にレンズを固定した状態を示す断面図である。
【図４】第２の接着剤貯留切欠に接着剤を滴下してレンズ枠にレンズを固定した状態を示す断面図である。
【図５】第３の接着剤貯留切欠に接着剤を滴下してレンズ枠に他のレンズを固定した状態を示す断面図である。
【発明を実施するための形態】
【００１３】
図１は、本発明の一実施の形態に係るレンズ枠１を示す前方斜視図であり、図２は同後方斜視図である。本実施形態のレンズ枠１は、デジタルカメラの撮影光学系に含まれるレンズ群２０を保持するものである。レンズ群２０は、物体側に凸の平凸正レンズ（第１レンズ）２１と、物体側に凸の負メニスカスレンズ（第２レンズ）２２とからなっている（図５）。この２枚のレンズ２１、２２はともに円形レンズである。
【００１４】
レンズ枠１は、光軸方向に位置を異ならせて、光軸中心の円筒面からなる小径の第１の嵌合筒部１１と、大径の第２の嵌合筒部１３を有し、第１の嵌合筒部１１と第２の嵌合筒部１３の間に、光軸と直交する第２レンズ位置規制面１２が形成されている。第１の嵌合筒部１１の第２の嵌合筒部１３側の端部は開放部１５となっており、その反対側の端部には、光軸と直交する第１レンズ位置規制面１０ａを有する内方フランジ１０が形成されている。第２の嵌合筒部１３の第１の嵌合筒部１１とは反対側の端部には、外方フランジ１４が形成されている。
【００１５】
平凸正レンズ２１は、その光軸直交面２１ａが内方フランジ１０の第１レンズ規制面１０ａに当接し、その外周円筒面２１ｂが第１の嵌合筒部１１に嵌められる。また、負メニスカスレンズ２２は、その光軸直交面２２ａが第２レンズ位置規制面１２に当接し、その外周円筒面２２ｂが第２の嵌合筒部１３に嵌められる。
【００１６】
レンズ枠１には、開放部１５側から第１の嵌合筒部１１の内円筒壁面に達する（開口する、連通する）第１の接着剤貯留切欠（開放部側切欠）３０が形成されている（図１、３）。さらに、レンズ枠１には、内方フランジ１０の外周側から第１の嵌合筒部１１の内円筒壁面に達する（開口する、連通する）第２の接着剤貯留切欠（内方フランジ側切欠）４０が形成されている（図２、４、５）。第１の接着剤貯留切欠３０と第２の接着剤貯留切欠４０に接着剤Ｓを滴下すると、レンズ枠１に平凸正レンズ２１が固定される。接着剤Ｓとして、例えばＵＶ接着剤を使用することができる。
【００１７】
第１の接着剤貯留切欠３０および第２の接着剤貯留切欠４０はそれぞれ、レンズ枠１の周方向に間隔をおいて（等角度間隔で）３つ形成されている（図１、２）。これにより、レンズ枠１の周方向に均等に接着剤Ｓを滴下できる。
【００１８】
第１の接着剤貯留切欠３０と第２の接着剤貯留切欠４０は、レンズ枠１の周方向に互いに位置を異ならせて配置されている（図１、２）。すなわち、第１の接着剤貯留切欠３０と第２の接着剤貯留切欠４０が非連通なので、第１の接着剤貯留切欠３０（第２の接着剤貯留切欠４０）に滴下した接着剤Ｓは、第２の接着剤貯留切欠４０（第１の接着剤貯留切欠３０）に流れ出すことはなく、確実に切欠の内部に留まることができる。
【００１９】
レンズ枠１には、開放部１５側から第２の嵌合筒部１３の内円筒壁面に達する（開口する、連通する）第３の接着剤貯留切欠５０が形成されている（図１、５）。第３の接着剤貯留切欠５０は、レンズ枠１の周方向に間隔をおいて（等角度間隔で）３つ形成されている。第３の接着剤貯留切欠５０に接着剤Ｓを滴下すると、レンズ枠１に負メニスカスレンズ２２が固定される。
【００２０】
次に、上述のように構成されたレンズ枠１にレンズ群２０を接着する方法について説明する。
【００２１】
まず、開放部１５側を上に（内方フランジ１０側を下に）向けてレンズ枠１を固定する。次いで、開放部１５側から内方フランジ１０側に向けて平凸正レンズ２１を落とし込んで、平凸正レンズ２１の外周円筒面２１ｂを第１の嵌合筒部１１に嵌め、同レンズ２１の光軸直交面２１ａを内方フランジ１０の第１レンズ位置規制面１０ａに当接させる。このとき、平凸正レンズ２１に偏芯や倒れがないことを確認し、偏芯や倒れがある場合には、平凸正レンズ２１を組み直す。平凸正レンズ２１に偏芯や倒れがないことを確認できたら、第１の接着剤貯留切欠３０にノズル（図示せず）を進入させて接着剤Ｓを滴下する。滴下された接着剤Ｓは、第１の接着剤貯留切欠３０の内部に留まり、第２レンズ位置規制面１２および第２の接着剤貯留切欠４０にはみ出すことはない（図３、４）。これにより、レンズ枠１に平凸正レンズ２１が固定される。
【００２２】
そして、レンズ枠１を上下に反転させて内方フランジ１０側を上に（開放部１５側を下に）向けて、第２の接着剤貯留切欠４０にノズル（図示せず）を進入させて接着剤Ｓを滴下する。滴下された接着剤Ｓは、第２の接着剤貯留切欠４０の内部に留まり、第１の接着剤貯留切欠３０にはみ出すことはない。以上により、開放部１５側と内方フランジ１０側の両側から、第１の接着剤貯留切欠３０と第２の接着剤貯留切欠４０の双方に接着剤Ｓを滴下できる結果、十分な接着剤の量を確保して、レンズ枠１に平凸正レンズ２１を確実に固定することができる。
【００２３】
最後に、再度レンズ枠１を上下に反転させて開放部１５側を上に（内方フランジ１０側を下に）向けて、開放部１５側から内方フランジ１０側に向けて負メニスカスレンズ２２を落とし込んで、負メニスカスレンズ２２の外周円筒面２２ｂを第２の嵌合筒部１３に嵌め、同レンズ２２の光軸直交面２２ａを第２レンズ位置規制面１２に当接させ、第３の接着剤貯留切欠５０にノズル（図示せず）を進入させて接着剤Ｓを滴下する。これにより、レンズ枠１に負メニスカスレンズ２２が固定される。
【００２４】
なお、開放部１５側を上に（内方フランジ１０側を下に）向けて第１の接着剤貯留切欠３０と第３の接着剤貯留切欠５０に接着剤Ｓを滴下し、その後、レンズ枠１を上下に反転させて内方フランジ１０側を上に（開放部１５側を下に）向けて第２の接着剤貯留切欠４０に接着剤Ｓを滴下することも可能である。この場合であっても、第１の接着剤貯留切欠３０に滴下された接着剤Ｓによりレンズ枠１に平凸正レンズ２１が仮止め固定されているので、レンズ枠１を上下に反転させても平凸正レンズ２１が脱落することはない。
【００２５】
以上の実施形態では、本発明のレンズ接着構造、レンズ枠およびレンズ接着方法を、デジタルカメラの撮影光学系に含まれるレンズとレンズ枠の接着固定に適用する場合を例示して説明したが、本発明はこれに限定されず、例えば、内視鏡や双眼鏡などのあらゆる光学機器に適用可能である。
【符号の説明】
【００２６】
１  レンズ枠
１０  内方フランジ
１０ａ  第１レンズ位置規制面
１１  第１の嵌合筒部
１２  第２レンズ位置規制面
１３  第２の嵌合筒部
１４  外方フランジ
１５  開放部
２０  レンズ群
２１  平凸正レンズ（第１レンズ）
２１ａ  光軸直交面
２２ｂ  外周円筒面（コバ面）
２２  負メニスカスレンズ（第２レンズ）
２２ａ  光軸直交面
２２ｂ  外周円筒面（コバ面）
３０  第１の接着剤貯留切欠（開放部側切欠）
４０  第２の接着剤貯留切欠（内方フランジ側切欠）
５０  第３の接着剤貯留切欠
Ｓ  接着剤
【図１】
2010256611.tif 000003
【図２】
2010256611.tif 000004
【図３】
2010256611.tif 000005
【図４】
2010256611.tif 000006
【図５】
2010256611.tif 000007